(57)【要約】      （修正有）【課題】生分解性材料で製造される発泡カップの内側に連結している紙カップを含み、紙カップは発泡カップの内側にしっかりと結合している生分解性カップを提供する。【解決手段】生分解性カップは、発泡カップ２０および発泡カップ内にしっかりと受容される紙カップ１０を備える。発泡カップは、超臨界的な二酸化炭素押出成形により製造されるミクロ発泡体で作られる。リップ２１は発泡カップの上端部の外側に連結しているので、隣接したリップが互いにオーバラップした状態で生分解性カップを積み重ねることができる。発泡パッド２２を発泡カップの下面に連結して、より良好な隔離機能を発揮する。【選択図】図２
0003146848.tif 000002
【実用新案登録請求の範囲】
【請求項１】
生分解性膜１１をその内側にコーティングした紙カップ１０と、
該紙カップを受容し、超臨界的な二酸化炭素押出成形により製造されるミクロ発泡で作られる発泡カップ２０と、該発泡カップの上端部に連結しているリップ２１と、を含む生分解性カップ。
【請求項２】
発泡パッド２２が該発泡カップの下面に連結している、請求項１に記載のカップ。
【請求項３】
該発泡パッドの直径が該発泡カップの外径と同じである、請求項２に記載のカップ。
【請求項４】
該リップが該発泡カップと一体に形成されている、請求項１に記載のカップ。
【請求項５】
該リップが該発泡カップに接着している、請求項１に記載のカップ。
【請求項６】
該リップが該発泡カップに熱圧着している、請求項１に記載のカップ。
【請求項７】
該生分解性膜が、ポリ乳酸（ＰＬＡ）、任意の生体高分子、任意の公知の生分解性プラスチック材料、国際標準化機構（ＩＳＯ）の規定に適合し堆肥化に適した任意の公知の熱可塑性材料で製造される、請求項１に記載のカップ。
【請求項８】
該発泡カップが、ポリ乳酸（ＰＬＡ）、任意の生体高分子、任意の公知の生分解性プラスチック材料、国際標準化機構（ＩＳＯ）の規定に適合し堆肥化に適した任意の公知の熱可塑性材料で製造される、請求項１に記載のカップ。
【請求項９】
該発泡カップが印刷模様または文字を含む、請求項１に記載のカップ。
【請求項１０】
該発泡カップの下方縁部が該紙カップの底部と面一であり、該発泡カップの該上端部が該紙カップ上の外側で湾曲したリップの下に位置する、請求項１に記載のカップ。
【請求項１１】
該発泡カップの該上端部が、該紙カップの底部から１／２〜１／３の高さに位置している、請求項１に記載のカップ。
【請求項１２】
生分解性膜１１をその内側にコーティングした紙カップ１０と、
該紙カップをしっかりと受容する発泡カップ２０と、その上端部の外側に連結しているリップ２１と、
該発泡カップの下面に連結している発泡パッド２２と、
を含む生分解性カップ。
【請求項１３】
該発泡パッドの直径が該発泡カップの外径と同じである、請求項１２に記載のカップ。
【請求項１４】
該発泡カップの下方縁部が該紙カップの底部と面一であり、該発泡カップの該上端部が該紙カップ上の外側の湾曲したリップ部の下に位置する、請求項１２に記載のカップ。
【請求項１５】
該発泡カップの該上端部が、該紙カップの底部から１／２〜１／３の高さに位置している、請求項１２に記載のカップ。
【考案の詳細な説明】
【技術分野】
【０００１】
本考案は、超臨界的な二酸化炭素押出成形により製造される発泡カップの内側にしっかりと連結している紙カップを含む生分解性カップに関する。
【背景技術】
【０００２】
従来の生分解性カップは、食品を受容するために使用され、変形しない内側カップと、内側カップを受容する外側紙カップ、とを一般に備える。この内側カップは、生分解性材料で作られ、超臨界的な二酸化炭素押出成形により製造される。この外側紙カップはその外面上に印刷物を含む。
【０００３】
しかしながら、内側カップおよび紙外側カップは、簡単に互いに係合しているので、内側カップは紙外側カップに対してずれる可能性がある。この内側カップは、熱い食品を内側カップ内に受容すると柔らかくなる恐れもあり、結果的に健康上の懸念を招く。
【０００４】
本考案は、生分解性材料で製造される発泡カップの内側に連結している紙カップを含み、紙カップは発泡カップの内側にしっかりと結合している生分解性カップを提供することを目的としている。生分解性膜は、紙カップの内側にコーティングしている。
【考案の開示】
【考案が解決しようとする課題】
【０００５】
本考案の主たる目的は、食品を受容するのに適し、生分解性であり得る生分解性カップを提供することである。
【０００６】
本考案の別の目的は、複数の生分解性カップが積み重ねられた状態で容易に分離できるように発泡カップの上端部の外側にリップを備えた生分解性カップを提供することである。
【０００７】
本考案のさらに別の実施形態は、生分解性カップ内の食物の温度を維持するために一層の隔離機能を発揮する発泡パッドをさらに備える、生分解性カップを提供することにある。
【課題を解決するための手段】
【０００８】
本考案は、生分解性膜をその内側にコーティングした紙カップ、および紙カップを受容する発泡カップ、を含む生分解性カップに関する。この発泡カップは、超臨界的な二酸化炭素押出成形により製造されるミクロ発泡体で作られる。リップは発泡カップの上端部に連結している。
【０００９】
本考案は、例示の目的でのみ、本考案による好ましい実施形態を示す添付図面に関連して理解すれば以下の説明からもっと明らかになるであろう。
【考案を実施するための最良の形態】
【００１０】
図１〜３を参照すると、本考案の生分解性カップは生分解性膜１１をその内側にコーティングした紙カップ１０と紙カップ１０をしっかりと受容する発泡カップ２０を含む。
【００１１】
紙カップ１０は底部および開放最上部を含み、生分解性膜１１は紙カップ１０の内面上にコーティングしている。生分解性膜１１は、ポリ乳酸（ＰＬＡ）、任意の生体高分子、任意の公知の生分解性プラスチック材料、国際標準化機構（ＩＳＯ）の規定に適合し堆肥化に適した任意の公知の熱可塑性材料、で製造される。
【００１２】
発泡カップ２０は、超臨界的な二酸化炭素押出成形により製造される発泡ボードから作られる。この発泡ボードは、模様または文字で印刷し、扇形をした断片に切断し、熱圧着して実質的に円筒状の発泡カップ２０を形成し、リップ２１が発泡カップ２０の上端部から外側へ突出する。
【００１３】
発泡カップ２０は、次いで図３に示すように熱圧着により紙カップ１０へしっかりと取り付けられる。複数の生分解性カップが積み重なると、発泡カップ２０の隣接したリップ２１は互いにオーバラップするので、生分解性カップは互いから容易に分離できる。
【００１４】
発泡パッド２２は発泡カップ２０の下面に連結し、発泡パッド２２の直径は発泡カップ２０の外径と同じである。発泡パッド２２および発泡カップ２０は、同一材料および方法によって製造される。発泡パッド２２と発泡カップ２０との間の連結部は、生体高分子により、または熱圧着により製造される接合用接着剤（glue）であり得る。
【００１５】
発泡ボードは生分解性材料または非生分解性材料により製造できる。生分解性材料は、ポリ乳酸（ＰＬＡ）類、バイオポリマー類、グリーンプラスチック類、バイオマックス（Biomax）ＰＥＴ、フェポール（Fepol）、エコフレックス（Ecoflex）、デュポン・カンパニー社（DuPond Company）によるMater-beであり得る。非生分解性材料は、ポリエチレン・テレフタレート（ＰＥＴ）、ポリプロピレン（ＰＰ）、ポリエチレン（ＰＥ）であり得る。
【００１６】
上記の熱圧着は、超音波圧着（ultra-heating）、高温空気加熱、超音波圧着または電気熱圧着（electric heat pressing）であり得る。リップ２１は発泡カップ２０と一体製造でき、またはリップ２１は単独で製造し、次いで発泡カップ２０へ接着もしくは熱圧着することができる。
【００１７】
生分解性カップの別の実施形態は、発泡カップ２０の上端部は紙カップ１０の底部から約１／２〜１／３の高さに位置している。発泡カップ２０の下縁部は、紙カップの底部と面一となっている。
【００１８】
考案者は、本考案による実施形態を示し説明してきたが、本考案の範囲から逸脱せずにさらなる実施形態を作り得ることは当業者であれば明白なはずである。
【図面の簡単な説明】
【００１９】
【図１】本考案の生分解性カップを示す分解図である。
【図２】本考案の生分解性カップを示す断面図である。
【図３】本考案の積み重ねられたカップを示す断面図である。
【符号の説明】
【００２０】
１０：紙カップ
１１：生分解性膜
２０：発泡カップ
２００：発泡ボード
２１：リップ
２２：発泡パッド
【図１】
0003146848.tif 000003
【図２】
0003146848.tif 000004
【図３】
0003146848.tif 000005